(57)【要約】肩ベルトのずり落ち防止機能を備えていても肩ベルトの掛け替えを容易に行うことができるようにする。肩ベルト２０のそれぞれ離間した位置に連結部材３５，３６を介してベルト状の首掛け部３０の両側部を連結している。ベルト状の首掛け部３０が連結されることによって、ベルト本体２０と首掛け部３０との間にはループ（輪）状の空間部が形成される。この空間部に頭部を通し、首掛け部３０を首の側面に接するよう掛け回す。連結部材３５，３６が取り外し可能な場合、連結部材３５を取り外し、それを片手で保持し、ベルト本体２０を肩に掛けると共に連結部材３５を首の後ろ側を通して、首掛け部２０を首に巻き回し、連結部材３５を再度ベルト本体２０に係合する。ショルダーバッグ１のベルト本体２０を肩に掛けることができると共に首掛け部３０を首に巻き回すことができ、首掛け部３０は、ベルト本体２０が肩からずり落ちるのを防止できる。
2019160042.tif 000002
【特許請求の範囲】
【請求項１】
左右の一方の肩に掛けられるベルト本体の離間した位置にベルト状の首掛け部を連結することによって、前記ベルト本体と前記首掛け部との間で輪状空間部を形成し、前記輪状空間部の首掛け部を前記左右の他方の首側に接するように掛け回すと共に前記輪状空間部のベルト本体の一部を前記肩に掛けることによって、前記ベルト本体が肩からずり落ちるのを防止することを特徴とする肩ベルトずり落ち防止方法。
【請求項２】
左右の一方の肩に掛けられるベルト本体の離間した位置に連結されることによって、前記ベルト本体と前記首掛け部とによって輪状空間部が形成されるように構成されたベルト状の首掛け部からなり、前記輪状空間部を形成する首掛け部が前記左右の他方の首側に接するように掛け回され、前記輪状空間部を形成する前記ベルト本体の一部が前記肩に掛けられるように構成されたことを特徴とする肩ベルトずり落ち防止具。
【請求項３】
請求項２に記載の肩ベルトずり落ち防止具を、左右の一方の肩に掛けられるベルト本体に備えたことを特徴とする肩ベルト。
【請求項４】
請求項２に記載の肩ベルトずり落ち防止具を備えたことを特徴とする鞄。
【発明の詳細な説明】
【技術分野】
【０００１】
本発明は、鞄などの収納体を保持するために片方の肩に吊り下げ可能に構成された肩ベルト及びこの肩ベルトを備えた鞄に係り、特に肩ベルトが肩からずり落ちるのを有効に防止することができるように構成された肩ベルトずり落ち防止方法及びずり落ち防止具、ずり落ち防止方法及びずり落ち防止具を備えた肩ベルト並びに鞄に関する。
【背景技術】
【０００２】
従来、ショダーバッグ等の肩ベルト又はショルダーベルトが肩からずり落ちるのを防止するものとして、特許文献１〜３に示すようなものが提案されている。
【先行技術文献】
【特許文献】
【０００３】
【特許文献１】特開平１０−２６２７２１号公報
【特許文献２】特開２００３−１７４９１６号公報
【特許文献３】特開２０１１−６２５１６号公報
【発明の開示】
【発明が解決しようとする課題】
【０００４】
特許文献１に記載のショルダーベルトは、各種物品を収納した収納体もしくは把持した把持体を肩から吊り下げて携帯するショルダーベルトであって、そのショルダーベルトの長さ方向に沿って所定の間隔を隔てた二点に紐の両端を係止し、その紐とショルダーベルトで形成されるループに腕を通してその紐の部分を肩に掛け、そのループを形成しない部分のショルダーベルトをもう一方の肩に掛けて用いるようにしたものである。
特許文献２に記載の肩ベルトは、片側の肩にかけるためのベルト本体と、そのベルト本体に連結されているループ状の補助ベルトとからなるものである。
特許文献３に記載のショルダーバッグのずり落ち防止具は、ワイヤ状をなす第１芯材を主要部材として、身体の頸部に沿うような湾曲部分が設けられた頸部掛止部と、ワイヤ状をなす第２芯材を主要部材として、一端の端部が前記頸部掛止部の一端の端部に回動可能に連結し、中間の屈曲部から他端まで折り返し部分が設けられた、肩掛けベルトを装着するベルト掛止部と、を備えたものである。【０００５】
特許文献１，２に記載のものは、紐の部分を肩に掛けているため、片方の肩から他方の肩へショルダーベルトの位置を掛け替えるのが面倒である。
特許文献３に記載のものは、頸部に沿うＵ字状の湾曲部分からなる頸部掛止部で構成されているため、片方の肩から他方の肩へショルダーベルトの位置を掛け替える際に、頸部掛止部の開放部が身体の前側に向くように掛け替える必要があり、面倒である。
また、特許文献３に記載のものは、ショルダーベルト（肩掛けベルト）と分離して構成されているため、ショルダーバックとずり落ち防止具を別々に保管しなければならず、装着時に両方を準備しなければならず面倒である。【０００６】
本発明の肩ベルトずり落ち防止方法及びずり落ち防止具、肩ベルト並びに鞄は、肩ベルトのずり落ち防止機能を備えていてもショルダーベルトの掛け替えを容易に行うことができる肩ベルトずり落ち防止方法及びずり落ち防止具、肩ベルト並びに鞄を提供することを目的とする。
【課題を解決するための手段】
【０００７】
本発明に係る肩ベルトずり落ち防止方法の特徴は、左右の一方の肩に掛けられるベルト本体の離間した位置にベルト状の首掛け部を連結することによって、前記ベルト本体と前記首掛け部との間で輪状空間部を形成し、前記輪状空間部の首掛け部を前記左右の他方の首側に接するように掛け回すと共に前記輪状空間部のベルト本体の一部を前記肩に掛けることによって、前記ベルト本体が肩からずり落ちるのを防止することにある。
肩ベルトは、鞄などの収納体を保持するために片方の肩に吊り下げ可能に構成されており、収納体部分と同じ材質のものをベルト状にしたベルト本体や異なる材質のものを収納体の前後に接続部材を介して係止したベルト本体などがある。この発明では、肩ベルトのそれぞれ離間した位置に連結部材を介してベルト状の首掛け部の両側部を連結している。ベルト状の首掛け部が連結されることによって、ベルト本体と首掛け部との間にはループ（輪）状の空間部が形成される。この空間部に頭部を通し、首掛け部を首の側面に接するよう掛け回す。連結部材が取り外し可能に構成されている場合には、一方の連結部材を取り外し、取り外した部分を片手で保持し、ベルト本体を肩に掛けると共に保持していた連結部材を首の後ろ側を通して、首掛け部を首に巻き回し、取り外していた連結部材を再度ベルト本体に係合する。これによって、ショルダーバッグのベルト本体を肩に掛けることができると共に首掛け部を首に巻き回すことができ、首掛け部は、ベルト本体が肩からずり落ちるのを有効に防止することができるようになる。
鞄の荷重は重力の作用によって、そのほとんどが下向きとなるので、鞄の荷重の約９割程度は肩ベルト本体を介して肩に架かるようになり、首掛け部には残りの約１割程度の荷重しか架からないようになるので、首掛け部の首への荷重負担はほんのわずかとなる。
さらに、一方の肩から他方の肩へ、ベルト本体の位置を掛け替える場合、ベルト本体と首掛け部との間に形成されているループ（輪）状の空間部を中心として、回転させるだけで、ベルト本体の肩の掛け替えを容易に行うことができる。
また、首掛け部を真珠や金属、天然石などの色々な素材からなる首飾りそのものを使用し、レザー又はボールタイプチェーン、喜平チェーン、あずきチェーン、ベネチアチェーン等の金属チェーンで構成することによって、首掛け部をベルト本体に装着した時の見た目（外観形状）がファンション性の優れたものとなり、高級な鞄等にも使用することができるようになる。また、ベルト本体の巾が広くて大きいと、ベルト本体を突出量の小さなフック等に引っ掛けることが困難であるが、この発明の首掛け部は、十分に細いので、普通のフック等に容易に引っ掛けて収容することが可能となる。【０００８】
本発明に係る肩ベルトずり落ち防止具の特徴は、左右の一方の肩に掛けられるベルト本体の離間した位置に連結されることによって、前記ベルト本体と前記首掛け部とによって輪状空間部が形成されるように構成されたベルト状の首掛け部からなり、前記輪状空間部を形成する首掛け部が前記左右の他方の首側に接するように掛け回され、前記輪状空間部を形成する前記ベルト本体の一部が前記肩に掛けられるように構成されたことにある。
これは、前記肩ベルトずり落ち防止方法の特徴に対応した肩ベルトずり落ち防止具の発明である。【０００９】
本発明に係る肩ベルトの特徴は、前記肩ベルトずり落ち防止具を、左右の一方の肩に掛けられるベルト本体に備えたことにある。
これは、前記肩ベルトずり落ち防止具を備えた肩ベルトの発明である。【００１０】
本発明に係る鞄の特徴は、前記肩ベルトずり落ち防止具を備えたことにある。
これは、前記肩ベルトずり落ち防止具を備えた鞄の発明である。
【発明の効果】
【００１１】
本発明の肩ベルトずり落ち防止方法及びずり落ち防止具、肩ベルト並びに鞄によれば、肩ベルトのずり落ち防止機能を備えていてもショルダーベルトの掛け替えを容易に行うことができるという効果がある。
【図面の簡単な説明】
【００１２】
【図１】本発明に係る肩ベルトずり落ち防止具を備えた鞄すなわちショルダーバッグ１の一例を示す図である。
【図２】図１のショルダーバッグ１を装着した状態を示す図であり、図２（Ａ）は人体を左側から見た側面図であり、図２（Ｂ）は人体を正面図である。
【図３】本発明の実施の形態の第１の変形例を示す図である。
【図４】本発明の実施の形態の第２の変形例を示す図である。
【発明を実施するための形態】
【００１３】
以下、添付図面に従って本発明に係る肩ベルトずり落ち防止方法及びずり落ち防止具、肩ベルト並びに鞄の好ましい実施の形態について説明する。図１は、本発明に係る肩ベルトずり落ち防止具を備えた鞄すなわちショルダーバッグ１の一例を示す図である。図１（Ａ）は、ショルダーバッグ１の正面図、図１（Ｂ）は、図１（Ａ）を右側から見た側面図、図１（Ｃ）は、図１（Ａ）を上側から見た上面図である。
【００１４】
ショルダーバッグ１は、物品等を収納する収納部１０と、この収納部１０の両端部に係合された肩掛け用のショルダーベルト部２０とから構成される。ショルダーバッグ１は、正面に外ポケットを備えている場合もある。ショルダーベルト部２０は、収納部１０に対して、取り外し可能に係合されたもの、取り外しできないように係合されたものを含む。ショルダーベルト部２０は、収納部１０と同じ材質で構成されたものでもよいし、異なる材質で構成されたものでもよい。さらに、ショルダーベルト部２０には、肩掛けパッドを備えていてもよい。
【００１５】
この実施の形態では、ネックレス等の首飾りのように人の首部に掛け回される首掛けベルト部３０がショルダーベルト部２０のそれぞれ離間した位置に連結され係合されている。この首掛けベルト部３０は、ウォレットコードやウォレットチェーンなどに使用されているものと同じ材質のレザー又は金属チェーン等から構成される。図１では、レザー又はこれを編み込んだコードで構成されたものが示されている。また、首掛けベルト部３０は、通常の真珠や金属、天然石などの色々な素材からなるネックレス等の首飾りなどの装飾品そのものを使用してもよい。また、首掛けベルト部３０は、ボールタイプチェーン、喜平チェーン、あずきチェーン、ベネチアチェーン等の金属チェーンで構成されていてもよい。
【００１６】
ショルダーベルト部２０には、角カンからなる係合部３１，３２が取り付けられている。２個の係合部３１，３２に首掛けベルト部３０の両端部がそれぞれ取り外し可能に接続されている。この実施の形態では、首掛けベルト３０の両端部に設けられたナスカン又はカニカンなどの連結部材３５，３６が、係合部３１，３２に引っ掛けられている。連結部材３５，３６は、金属製の輪で構成されており、この輪の一部が開閉し、押し込むだけで連結できるように構成されているものであれば、ナスカン又はカニカン以外のものでもよい。
【００１７】
また、ショルダーベルト部２０に連結部材３５，３６が直接取り付け可能なように構成してあってもよいし、ショルダーベルト部２０が係合部３１，３２のようなものを直接備えている場合には、そのショルダーベルト部２０の一部である係合部に連結部材３５，３６を係合してもよい。係合部３１，３２は、ショルダーベルト部２０の長手方向に沿って自在に移動可能とすることが好ましい。なお、ショルダーベルト部２０に係合部３１，３２の両方又は一方が固定的に取り付けられていてもよい。また、ショルダーベルト部２０に肩掛けパッドが取り付けられている場合には、この肩掛けバッドに係合部が設けられていてもよい。
【００１８】
首掛けベルト部３０の長さは、連結部材３５，３６を含めてその全長が約３５〜５３［ｃｍ］程度が好ましい。この長さは、ネックレスのチョーカー：３５〜４０［ｃｍ］、プリンセス：４０〜４５［ｃｍ］、マチネー：５０〜５３［ｃｍ］の長さにそれぞれ対応した長さである。小柄な人はチョーカーの長さが、普通の人はプリンセスの長さが、大柄な人はマチネーの長さが、それぞれ適している。なお、体格に応じて、その長さは適宜調整可能としてもよい。例えば、首掛けベルト部３０と連結部材３５，３６との間及び連結部材３５，３６と係合部３１，３２との間に、長さ調整用のリング等を挿入してもよいし、首掛けベルト部３０と連結部材３５，３６との間又は連結部材３５，３６と係合部３１，３２との間のいずれか一方に、長さ調整用のリング等を挿入してもよい。首掛けベルト部３０が金属チェーン等で構成されている場合には、この金属チェーンに取り付けられる連結部材３５，３６の位置を調整することによって、首掛けベルト部３０の長さを適宜変更可能としてもよい。
【００１９】
図２は、図１のショルダーバッグ１を装着した状態を示す図であり、図２（Ａ）は人体を左側から見た側面図であり、図２（Ｂ）はその人体の正面図である。図２では、人体の上半身のみを示す。ショルダーベルト部２０を左肩に掛ける前に、首掛けベルト部３０の連結部材３５を、ショルダーベルト部２０の係合部３１から取り外しておき、その連結部材３５を右手で保持しておく。そして、ショルダーベルト部２０を左肩に掛けると共に右手に保持していた連結部材３５を首の後ろ側を通して、首掛けベルト部３０を首に巻き回し、連結部材３５をショルダーベルト部２０の係合部３１に係合する。これによって、図２のように、ショルダーバッグ１を肩に掛けると共に首掛けベルト部３０を首に巻き回すことができる。なお、連結部材３５を係合部３１から取り外すことなく、図１（Ｃ）に示すように、ショルダーベルト部２０と首掛けベルト部３０とによって形成される輪（円形状の空間部）の中に頭を通してからショルダーベルト部２０を左肩に掛けるようにしてもよい。
【００２０】
首掛けベルト部３０は、通常の真珠や金属、天然石などの色々な素材からなる首飾りそのものを使用することによって、図２（Ｂ）に示すように、首掛けベルト部３０そのものが装飾品となり、正面からの見映えが格段に向上し、ファッション性に優れたものとなる。
【００２１】
図３は、本発明の実施の形態の第１の変形例を示す図である。図３（Ａ）は、ショルダーベルト部２０の直径が小さくて細い場合に、連結部材３５，３６を直接ショルダーベルト部２０に係合するようにしたものである。これによって、係合部３１，３２は不要となる。図３（Ａ）の構成は、ショルダーベルト部２０の直径と連結部材３５，３６の内径との大きさを適宜調整することによって可能となる。
図３（Ｂ）は、図３（Ａ）に示すような連結部材３５，３６の内径が小さくて、直接ショルダーベルト部２０に係合することができない場合に、ショルダーベルト部２０に係合部３１，３２を設けることによって、両者を係合可能にしたものである。すなわち、図１及び図２に示す場合と同様の構成である。
【００２２】
図４は、本発明の実施の形態の第２の変形例を示す図である。図４（Ａ）は、ショルダーベルト部２０に首掛けベルト部３０を接続する場合に、首掛けベルト部３０の端部を固定用ボタン３８で固定して、先端部にリング部を形成し、このリング部内にショルダーベルト部２０を通過させるようにしたものである。このリング部はショルダーベルト部２０に沿ってスライド可能となる。固定用ボタン３８は、取り外し可能なボタンとすることで、首掛けベルト部３０をショルダーベルト部２０から取り外すことが可能となる。
図４（Ｂ）は、ショルダーベルト部２０に首掛けベルト部３０を接続する場合に、係合部としてプラスチックバックル３９の雌要素３９ａをショルダーベルト部２０に取り付け、連結部材としてプラスチックバックル３９の雄要素３９ｂを首掛けベルト部３０に取り付けたものである。プラスチックバックル３９によって容易に着脱可能となる。
【００２３】
上述の実施の形態では、連結部材３５，３６として、ナスカン又はカニカンを使用する場合について説明したが、これ以外に楕円リングナスカン、リングナスカン、丸型カラビナ、カラビナ等を連結部材３５，３６及び／又は係合部３１，３２として使用してもよい。
首掛けベルト部３０のほぼ中央付近又は端部付近にセパレートパーツ（分離機構）又は安全パーツを設けて、必要以上の力で引っ張られた場合にこのセパレートパーツが２つに分かれ、首掛けベルト部３０が首から外れるようにしてもよい。
【符号の説明】
【００２４】
１…ショルダーバッグ
１０…収納部
２０…ショルダーベルト部
３０…首掛けベルト部
３１，３２…係合部
３５，３６…連結部材
３８…固定用ボタン
３９…プラスチックバックル
【図１】
2019160042.tif 000003
【図２】
2019160042.tif 000004
【図３】
2019160042.tif 000005
【図４】
2019160042.tif 000006
【手続補正書】
【提出日】令和2年4月14日(2020.4.14)
【手続補正１】
【補正対象書類名】特許請求の範囲
【補正対象項目名】全文
【補正方法】変更
【補正の内容】
【特許請求の範囲】
【請求項１】
左右の一方の肩に掛けられるベルト本体の離間したそれぞれの位置に、全長が３５〜５３ｃｍのベルト状の首掛け部を連結することによって、前記ベルト本体と前記首掛け部との間で輪状空間部を形成し、前記輪状空間部の首掛け部を前記左右の他方の首の側面に接するように掛け回すと共に前記輪状空間部のベルト本体の一部を前記肩に掛けることによって、前記ベルト本体が肩からずり落ちるのを防止することを特徴とする肩ベルトずり落ち防止方法。
【請求項２】
請求項１に記載の肩ベルトずり落ち防止方法において、前記首掛け部を前記ベルト本体の長手方向に沿って自在に移動可能に連結したことを特徴とする肩ベルトずり落ち防止方法。
【請求項３】
請求項１又は２に記載の肩ベルトずり落ち防止方法において、前記首掛け部を前記ベルト本体に対して取り外し可能に取り付けたことを特徴とする肩ベルトずり落ち防止方法。
【請求項４】
左右の一方の肩に掛けられるベルト本体の離間したそれぞれの位置を全長が３５〜５３ｃｍのベルト状の首掛け部を連結することによって、前記ベルト本体と前記首掛け部との間に輪状空間部が形成されるように構成され、前記輪状空間部を形成する前記首掛け部が前記左右の他方の首の側面に接するように掛け回され、前記輪状空間部を形成する前記ベルト本体の一部が前記肩に掛けられるように構成されたことを特徴とする肩ベルトずり落ち防止具。
【請求項５】
請求項４に記載の肩ベルトずり落ち防止具において、前記首掛け部が前記ベルト本体の長手方向に沿って自在に移動可能に連結されていることを特徴とする肩ベルトずり落ち防止具。
【請求項６】
請求項４又は５に記載の肩ベルトずり落ち防止具において、前記首掛け部が前記ベルト本体に対して取り外し可能に取り付けられていることを特徴とする肩ベルトずり落ち防止具。
【請求項７】
請求項１、２若しくは３に記載の肩ベルトずり落ち防止方法又は請求項４、５若しくは６に記載の肩ベルトずり落ち防止具を備えたことを特徴とする鞄。
【国際調査報告】
2019160042.tif 000007
2019160042.tif 000008